(57)【要約】      （修正有）【課題】濡れた雨傘を袋に収納していても、それを小脇に抱えたり、肩に掛けたりして、両手を開放することのできる雨傘用カバーを提供する。【解決手段】閉じられた雨傘１の握柄１０から石突１１までの長さよりも長く形成されたカバー２であって、そのカバー２の一方の開放端には、雨傘の握柄１０に固定された収納容器４が取り付けられ、他方の下部開放端１２は、雨傘１の石突１１から折り返され、折り返されたその下部開放端１２と前記収納容器４との間には、吊り紐３が取り付けられている。【選択図】図１
0003183160.tif 000002
【実用新案登録請求の範囲】
【請求項１】
傘を閉じた状態の雨傘を収納する防水仕様の円筒状の蛇腹状カバーであって、そのカバーは、前記雨傘を収納するとともに、雨傘の握柄に近い方の開放端は、その握柄に取り付けられた収納容器内に固定され、他方の開放端は、石突よりも長く延び、その延びた開放端と前記収納容器との間には、吊り紐が着脱可能に連結され、前記収納容器は、前記カバーをたくし上げた状態で収納可能である雨傘用カバー。
【考案の詳細な説明】
【技術分野】
【０００１】  本考案は、濡れた雨傘を収納するカバーに関する。
【背景技術】
【０００２】  濡れた雨傘を収納して持ち歩けるようにしたカバーとしては、スーパーマーケット等の出入口に設けられているビニール製の細長い袋が知られている。この袋は、使い捨てを前提としているものであるが、そうした袋を雨傘の握柄に取り付けて繰り返し使えるようにしたものとしては、下記特許文献１に開示されたものがある。【０００３】  この特許文献１に開示されたカバーは、円筒状に形成され、そのカバーの一方の開放端は、傘の握柄に固定され、他方の開放端は、開放されている。そして、雨傘を使用するときは、傘の石突の方の開放端を傘の握柄までたくし上げて傘を露出させ、たくし上げられたカバーは、傘の握柄に固定された収納容器内に収納するようになっている。
【先行技術文献】
【特許文献】
【０００４】
【特許文献１】特開２００１−１２０３２１号公報
【考案の概要】
【考案が解決しようとする課題】
【０００５】  ところが、このカバーで雨傘を収納しても、カバーの開放端から石突が飛び出ているため、そこから雨水が垂れる問題がある。そのため、濡れた雨傘をカバーに収納してそれを小脇に抱えようとしても、雨水がカバーの開放端から垂れて服が濡れたり、足下が濡れたりする問題がある。
この考案は、この問題を解決することのできる新たな雨傘用カバーを提供することを課題とする。
【課題を解決するための手段】
【０００６】  この考案に係る雨傘用カバーは、傘を閉じた状態の雨傘を収納する防水仕様の円筒状の蛇腹状カバーであって、そのカバーは、前記雨傘を収納するとともに、雨傘の握柄に近い方のカバーの開放端は、その握柄に取り付けられた収納容器内に固定され、他方の開放端は、石突よりも長く延び、その延びた開放端と前記収納容器との間には、吊り紐が着脱可能に連結され、前記収納容器は、前記カバーをたくし上げた状態で収納可能である。【０００７】  図１は、閉じた状態の雨傘１をカバー２に収納した一例を示し、図２は、カバー２に取り付けられた吊り紐３でカバー２に収納された雨傘１を吊り下げた状態の一例を示す。
図１に示すように、雨傘１が収納されたカバー２は、雨傘１の握柄１０から石突１１までの長さよりも長く形成され、そのカバー２の下部開放端１２と握柄１０に取り付けられた収納容器４との間には、吊り紐３が連結されているから、図２に示すように、雨傘１を収納したカバー２を吊り紐３で吊り下げれば、石突１１より長く伸びたカバーの下部開放端１２が吊り紐３で引き上げられて折り返される。そのため、折り返されて引き上げられた下部開放端１２から雨水が垂れることはない。したがって、カバー２で覆われた雨傘１を小脇に抱えたり肩に掛けたりしても、服や足下が濡れる心配はない。また、吊り紐３を肩から降ろして握柄１０を持てば、石突１１で折り返された下部開放端１２が図１のように垂れ下がるので、そこからカバー２内に溜まった雨水を排水することができる。【０００８】  また、雨傘１を収納したカバー２は、図３に示すように、雨傘１に沿って蛇腹状にたくし上げることができるから、握柄１０に設けられた収納容器４内にコンパクトに収納することができる。また、収納容器４の側面を弾力性のある材質で形成しておけば、蛇腹状に折り畳まれたカバー２を素早く収納容器４内に納めることができる。
【考案の効果】
【０００７】  この考案によれば、カバー２の下部開放端１２は、雨傘１の石突１１よりも長く形成され、その長く延びた下部開放端１２が石突１１で折り返されて吊り紐３で引き上げられるから、濡れた雨傘１をカバー２内に収納していても、折り返された下部開放端１２から雨水が垂れることはない。したがって、濡れた雨傘１をカバー２に収納して肩から吊るしたり小脇に抱えたりしても、服や足元が濡れることはない。さらに、カバー２の下部開放端１２に水が溜まっていても、握柄１０を上にして雨傘１を下げれば、折り返された下部開放端１２が垂れ下がるから、カバー２内に溜まった雨水を簡単に排水することができる。
【図面の簡単な説明】
【０００８】
【図１】傘を閉じた状態の雨傘にカバーを被せた状態の外観斜視図
【図２】カバーを被せた雨傘を吊り紐で吊り下げた状態の外観斜視図
【図３】雨傘に被せたカバーをたくし上げている途中の外観斜視図
【考案を実施するための形態】
【０００９】  以下、本考案の一実施形態を、図面を参照しながら説明する。
【実施例】
【００１０】  図１、図２において、カバー２は、防水性のある柔軟な合成樹脂シートで円筒状に形成されている。そのカバー２の内側には、リング状の補強骨２１が一定間隔で取り付けられて、その補強骨２１を節として、カバー２全体が蛇腹状に伸縮するようになっている。また、カバー２の上部開放端は、収納容器４内の天井部分に固定され、そこからカバー２全体が垂れ下がって、握柄１０から石突１１までの長さより長く形成されている。また、カバー２の下部開放端１２には、収納容器４の縁と嵌り合うドーナツ型のキャップ２２が固定され、そのキャップ２２で収納容器４内に収納されたカバー２の収納容器４からの脱落を防止するようになっている。なお、補強骨２１は、合成樹脂や合成ゴム等で形成されている。【００１１】  収納容器４は、図３に示すように、折り畳んだ状態のカバー２を内部に収納できる大きさに形成されて握柄１０に取り付けられている。すなわち、この収納容器４は、合成ゴムや軟質の合成樹脂で成形されて、握柄１０のＵ字状に曲がった先端１３部から収納容器４中央部の貫通孔を挿入すれば、図１に示す位置に装着できるようになっている。【００１２】  前記収納容器４の側面には、吊り紐３の一端が固定され、その吊り紐３の他端は、前記キャップ２２に着脱可能に取り付けられている。また、吊り紐３と収納容器４とが着脱自在に取り外せるようにしておくと良い。その場合の取り付け具としては、例えば、面ファスナーや茄子環等を使用することができる。【００１３】  そして、閉じられた雨傘１を使用するときは、吊り紐３を外して、図３に示すように、カバー２を蛇腹状にたくし上げて収納容器４内に押し込む。ただし、図３では、まだ収納が終えてない状態を示している。
【符号の説明】
【００１４】  １      雨傘
２      カバー
３      吊り紐
４      収納容器
１０      握柄
１１      石突
１２      下部開放端
【図１】
0003183160.tif 000003
【図２】
0003183160.tif 000004
【図３】
0003183160.tif 000005